(57)【要約】【課題】本発明は、例えば有機ＥＬ素子によるアクティブマトリックス型の画像表示装置に適用して、駆動トランジスタを介して保持容量の端子間電圧を複数回の期間で放電して駆動トランジスタのしきい値電圧をばらつき補正する場合でも、駆動トランジスタのしきい値電圧のばらつきを確実に補正することができるようにする。【解決手段】本発明は、しきい値電圧補正処理の休止期間Ｔ１、Ｔ２の全部期間又は一部期間において、電源用の駆動信号ＤＳを出力する走査線をフローティング状態に設定する。【選択図】        図１
2010107629.tif 000002
【特許請求の範囲】
【請求項１】
画素回路をマトリックス状に配置した表示部と、
前記表示部に設けられた信号線に信号線用駆動信号を出力する信号線駆動回路と、
前記表示部に設けられた走査線に少なくとも電源用駆動信号及び書込信号を出力する走査線駆動回路とを有し、
前記画素回路は、
発光素子と、
前記電源用駆動信号がドレインに印加され、ゲートソース間電圧に応じた駆動電流により前記発光素子を電流駆動する駆動トランジスタと、
前記ゲートソース間電圧を保持する保持容量と、
前記書込信号により前記駆動トランジスタのゲートを前記信号線に接続し、前記保持容量の端子電圧を前記信号線の電圧に設定する書込トランジスタとを少なくとも有し、
前記信号線駆動回路及び前記走査線駆動回路の出力信号により、前記発光素子を発光させる発光期間と、前記発光素子の発光を停止させる非発光期間とを交互に繰り返し、
前記画素回路は、
前記非発光期間において、
前記保持容量の端子間電圧を前記駆動トランジスタのしきい値電圧以上の電圧に設定した後、
休止期間を間に挟んだ複数の期間で前記駆動トランジスタを介して前記保持容量の端子間電圧を放電し、前記保持容量の端子間電圧を前記駆動トランジスタのしきい値電圧に設定し、
その後、前記書込トランジスタを介して前記保持容量の端子電圧を設定し、続く発光期間における前記発光素子の階調を設定し、
前記走査線駆動回路は、
前記休止期間の全部又は一部の期間で、前記電源用駆動信号を出力する走査線をフローティング状態に設定する
画像表示装置。
【請求項２】
前記発光素子の１回の階調設定に対して、対応する前記休止期間が複数回設けられ、
前記一部の期間が、前記複数回の休止期間の最先の休止期間である
請求項１に記載の画像表示装置。
【請求項３】
前記走査線駆動回路は、
前記非発光期間において、前記発光素子の前記駆動トランジスタ側端とは逆側端の電圧以下に前記電源用駆動信号の電圧を立ち下げ、
前記画素回路は、
前記電源用駆動信号の電圧の立ち下げにより、前記保持容量の前記発光素子側端の電圧を立ち下げ、前記保持容量の端子間電圧を前記駆動トランジスタのしきい値電圧以上の電圧に設定する
請求項１に記載の画像表示装置。
【請求項４】
画素回路をマトリックス状に配置した表示部と、
前記表示部に設けられた信号線に信号線用駆動信号を出力する信号線駆動回路と、
前記表示部に設けられた走査線に少なくとも電源用駆動信号及び書込信号を出力する走査線駆動回路とを有する画像表示装置の駆動方法において、
前記画素回路は、
発光素子と、
前記電源用駆動信号がドレインに印加され、ゲートソース間電圧に応じた駆動電流により前記発光素子を電流駆動する駆動トランジスタと、
前記ゲートソース間電圧を保持する保持容量と、
前記書込信号により前記駆動トランジスタのゲートを前記信号線に接続し、前記保持容量の端子電圧を前記信号線の電圧に設定する書込トランジスタとを少なくとも有し、
前記信号線駆動回路及び前記走査線駆動回路の出力信号により、前記発光素子を発光させる発光期間と、前記発光素子の発光を停止させる非発光期間とを交互に繰り返し、
前記駆動方法は、
前記非発光期間において、前記保持容量の端子間電圧を前記駆動トランジスタのしきい値電圧以上の電圧に設定するしきい値電圧補正の準備ステップと、
前記非発光期間において、続いて休止期間を間に挟んだ複数の期間で前記駆動トランジスタを介して前記保持容量の端子間電圧を放電し、前記保持容量の端子間電圧を前記駆動トランジスタのしきい値電圧に設定するしきい値電圧補正ステップと、
前記非発光期間において、続いて前記書込トランジスタを介して前記保持容量の端子電圧を設定し、続く発光期間における前記発光素子の階調を設定する階調設定ステップとを有し、
前記しきい値電圧補正ステップは、
前記休止期間の全部又は一部の期間で、前記電源用駆動信号を出力する走査線をフローティング状態に設定するフローティング状態の設定ステップを有する
画像表示装置の駆動方法。
【発明の詳細な説明】
【技術分野】
【０００１】
本発明は、画像表示装置及び画像表示装置の駆動方法に関し、例えば有機ＥＬ（Electro Luminescence）素子によるアクティブマトリックス型の画像表示装置に適用することができる。本発明は、しきい値電圧補正処理の休止期間の全部期間又は一部期間において、電源用の駆動信号を出力する走査線をフローティング状態に設定することにより、駆動トランジスタを介して保持容量の端子間電圧を複数回の期間で放電して駆動トランジスタのしきい値電圧をばらつき補正する場合に、駆動トランジスタのしきい値電圧のばらつきを確実に補正することができるようにする。
【背景技術】
【０００２】
近年、有機ＥＬ素子を用いたアクティブマトリックス型の画像表示装置の開発が盛んになっている。ここで有機ＥＬ素子は、１０〔Ｖ〕以下の印加電圧で駆動することができる。従ってこの種の画像表示装置は、消費電力を低減することができる。また有機ＥＬ素子は、自発光素子である。従ってこの種の画像表示装置は、バックライト装置を必要とせず、軽量化、薄型化することができる。さらに有機ＥＬ素子は、応答速度が数μ秒程度と速い特徴がある。従ってこの種の画像表示装置は、動画像表示時に残像が殆ど発生しない特徴がある。
【０００３】
具体的に、有機ＥＬ素子を用いたアクティブマトリックス型の画像表示装置は、有機ＥＬ素子と有機ＥＬ素子を駆動する駆動回路とによる画素回路をマトリックス状に配置して表示部が形成される。この種の画像表示装置は、表示部に設けられた信号線及び走査線をそれぞれ介して、表示部の周囲に配置した信号線駆動回路及び走査線駆動回路により各画素回路を駆動して所望の画像を表示する。
【０００４】
この有機ＥＬ素子を用いた画像表示装置に関して、特開２００７−３１０３１１号公報には、２つのトランジスタを用いて画素回路を構成し、有機ＥＬ素子を駆動する駆動トランジスタのしきい値電圧のばらつき、移動度のばらつきによる画質劣化を防止する構成が開示されている。
【０００５】
ここで図８は、この特開２００７−３１０３１１号公報に開示の画像表示装置を示すブロック図である。この画像表示装置１は、有機ＥＬ素子を用いた画像表示装置であり、ガラス等の絶縁基板に表示部２が作成される。画像表示装置１は、この表示部２の周囲に信号線駆動回路３及び走査線駆動回路４が作成される。
【０００６】
ここで信号線駆動回路３は、表示部２に設けられた信号線ＤＴＬに信号線用の駆動信号Ｓｓｉｇを出力する。より具体的に、信号線駆動回路３は、水平セレクタ（ＨＳＥＬ）３Ａにより、ラスタ走査順に入力される画像データＤ１を順次ラッチして画像データＤ１を信号線ＤＴＬに振り分けた後、それぞれディジタルアナログ変換処理する。信号線駆動回路３は、このディジタルアナログ変換結果を処理して駆動信号Ｓｓｉｇを生成する。これにより画像表示装置１は、例えばいわゆる線順次により各画素回路５の階調を設定する。
【０００７】
走査線駆動回路４は、表示部２に設けられた書込信号用の走査線ＷＳＬ及び電源用の走査線ＤＳＬにそれぞれ書込信号ＷＳ及び駆動信号ＤＳを出力する。ここで書込信号ＷＳは、各画素回路５に設けられた書込トランジスタをオンオフ制御する信号である。また駆動信号ＤＳは、各画素回路５に設けられた駆動トランジスタのドレイン電圧を制御する信号である。走査線駆動回路４は、ライトスキャン回路（ＷＳＣＮ）４Ａ及びドライブスキャン回路（ＤＳＣＮ）４Ｂにおいて、それぞれ所定のサンプリングパルスＳＰをクロックＣＫで処理して書込信号ＷＳ及び駆動信号ＤＳを出力する。
【０００８】
表示部２は、画素回路５をマトリックス状に配置して形成される。表示部２は、各画素回路５にそれぞれ赤色、緑色、青色のカラーフィルタが順次循環的に設けられ、これにより赤色、緑色、青色の画素が順次形成される。
【０００９】
ここで画素回路５は、有機ＥＬ素子８のカソードが所定の電源Ｖｃａｔｈに接続され、有機ＥＬ素子８のアノードが駆動トランジスタＴｒ２のソースに接続される。なお駆動トランジスタＴｒ２は、例えばＴＦＴによるＮチャンネル型トランジスタである。画素回路５は、この駆動トランジスタＴｒ２のドレインが電源用の走査線ＤＳＬに接続され、この走査線ＤＳＬに走査線駆動回路４から電源用の駆動信号ＤＳが供給される。これにより画素回路５は、ソースフォロワ回路構成の駆動トランジスタＴｒ２を用いて有機ＥＬ素子８を電流駆動する。
【００１０】
画素回路５は、この駆動トランジスタＴｒ２のゲート及びソース間に保持容量Ｃｓが設けられ、書込信号ＷＳによりこの保持容量Ｃｓのゲート側端電圧が駆動信号Ｓｓｉｇの電圧に設定される。その結果、画素回路５は、駆動信号Ｓｓｉｇに応じたゲートソース間電圧Ｖｇｓにより駆動トランジスタＴｒ２で有機ＥＬ素子８を電流駆動する。なおここでこの図８において、容量Ｃｅｌは、有機ＥＬ素子８の浮遊容量である。また以下において、容量Ｃｅｌは、保持容量Ｃｓに比して十分に容量が大きいものとし、駆動トランジスタＴｒ２のゲートノードの寄生容量は、保持容量Ｃｓに対して十分に小さいものとする。
【００１１】
すなわち画素回路５は、書込信号ＷＳによりオンオフ動作する書込トランジスタＴｒ１を介して、駆動トランジスタＴｒ２のゲートが信号線ＤＴＬに接続される。なおここで書込トランジスタＴｒ１は、例えばＴＦＴによるＮチャンネル型トランジスタである。
【００１２】
ここで信号線駆動回路３は、階調設定用電圧Ｖｓｉｇ及びしきい値電圧の補正用電圧Ｖｏｆｓを交互に繰り返して駆動信号Ｓｓｉｇを出力する。なおしきい値電圧補正用の固定電圧Ｖｏｆｓは、駆動トランジスタＴｒ２のしきい値電圧のばらつき補正に使用する固定電圧である。また階調設定用電圧Ｖｓｉｇは、有機ＥＬ素子８の発光輝度を指示する電圧であり、階調電圧Ｖｉｎにしきい値電圧補正用の固定電圧Ｖｏｆｓを加算した電圧である。また階調電圧Ｖｉｎは、有機ＥＬ素子８の発光輝度に対応する電圧である。階調電圧Ｖｉｎは、水平セレクタ３Ａにおいて、ラスタ走査順に入力される画像データＤ１を順次ラッチして各信号線ＤＴＬに振り分けた後、それぞれディジタルアナログ変換処理して信号線ＤＴＬ毎に生成される。
【００１３】
画素回路５は、図９に示すように、有機ＥＬ素子８を発光させる発光期間の間、書込信号ＷＳにより書込トランジスタＴｒ１がオフ状態に設定される（図９（Ａ））。また画素回路５は、発光期間の間、電源用の駆動信号ＤＳによって駆動トランジスタＴｒ２に電源電圧Ｖｃｃが供給される（図９（Ｂ））。これにより画素回路５は、発光期間の間、保持容量Ｃｓの端子間電圧に応じた駆動電流で有機ＥＬ素子８を電流駆動して発光させる。
【００１４】
画素回路５は、発光期間が終了する時点ｔ０で、電源用の駆動信号ＤＳが所定の固定電圧Ｖｓｓ２に立ち下げられる（図９（Ｂ））。ここでこの固定電圧Ｖｓｓ２は、駆動トランジスタＴｒ２のドレインをソースとして機能させるのに十分に低い電圧であり、有機ＥＬ素子８のカソード電圧Ｖｃａｔｈより低い電圧である。
【００１５】
これにより画素回路５は、駆動トランジスタＴｒ２を介して、有機ＥＬ素子８のアノード側蓄積電荷が走査線ＤＳＬに流出する。その結果、画素回路５は、駆動トランジスタＴｒ２のソース電圧Ｖｓが電圧Ｖｓｓ２に立ち下がり（図９（Ｅ））、有機ＥＬ素子８が発光を停止する。また画素回路５は、このソース電圧Ｖｓの立ち下がりに連動して、駆動トランジスタＴｒ２のゲート電圧Ｖｇが低下する（図９（Ｄ））。
【００１６】
画素回路５は、続く所定の時点ｔ１で、書込信号ＷＳにより書込トランジスタＴｒ１がオン状態に切り換えられ（図９（Ａ））、駆動トランジスタＴｒ２のゲート電圧Ｖｇが信号線ＤＴＬに設定されたしきい値電圧補正用の固定電圧Ｖｏｆｓに設定される（図９（Ｃ）及び（Ｄ））。これにより画素回路５は、駆動トランジスタＴｒ２のゲートソース間電圧Ｖｇｓが電圧Ｖｏｆｓ−Ｖｓｓ２に設定される。ここで画素回路５は、電圧Ｖｏｆｓ、Ｖｓｓ２の設定により、この電圧Ｖｏｆｓ−Ｖｓｓ２が駆動トランジスタＴｒ２のしきい値電圧Ｖｔｈより大きな電圧に設定される。
【００１７】
その後、画素回路５は、時点ｔ２で駆動信号ＤＳにより駆動トランジスタＴｒ２のドレイン電圧が電源電圧Ｖｃｃに立ち上げられる（図９（Ｂ））。これにより画素回路５は、駆動トランジスタＴｒ２を介して保持容量Ｃｓの有機ＥＬ素子８側端に電源Ｖｃｃから充電電流が流入する。その結果、画素回路５は、保持容量Ｃｓの有機ＥＬ素子８側端の電圧Ｖｓが徐々に上昇する。なおこの場合、駆動トランジスタＴｒ２を介して有機ＥＬ素子８に流入する電流は、有機ＥＬ素子８の容量Ｃｅｌと保持容量Ｃｓの充電にのみ使用される。その結果、画素回路５は、有機ＥＬ素子８を発光させることなく、単に駆動トランジスタＴｒ２のソース電圧Ｖｓのみが上昇することになる。
【００１８】
ここで画素回路５は、保持容量Ｃｓの端子間電圧が駆動トランジスタＴｒ２のしきい値電圧Ｖｔｈとなると、駆動トランジスタＴｒ２を介した充電電流の流入が停止することになる。従ってこの場合、この駆動トランジスタＴｒ２のソース電圧Ｖｓの上昇は、保持容量Ｃｓの両端電位差が駆動トランジスタＴｒ２のしきい値電圧Ｖｔｈとなると停止することになる。これにより画素回路５は、駆動トランジスタＴｒ２を介して保持容量Ｃｓの端子間電圧を放電させ、保持容量Ｃｓの端子間電圧を駆動トランジスタＴｒ２のしきい値電圧Ｖｔｈに設定する。
【００１９】
画素回路５は、保持容量Ｃｓの端子間電圧を駆動トランジスタＴｒ２のしきい値電圧Ｖｔｈに設定するのに十分な時間が経過して時点ｔ３になると、書込信号ＷＳにより書込トランジスタＴｒ１がオフ状態に切り換えられる（図９（Ａ））。続いて信号線ＤＴＬの電圧が階調設定用電圧Ｖｓｉｇ（＝Ｖｉｎ＋Ｖｏｆｓ）に設定される。
【００２０】
画素回路５は、続く時点ｔ４で書込トランジスタＴｒ１がオン状態に設定される（図９（Ａ））。これにより画素回路５は、駆動トランジスタＴｒ２のゲート電圧Ｖｇが階調設定用電圧Ｖｓｉｇに設定され、駆動トランジスタＴｒ２のゲートソース間電圧Ｖｇｓは、階調電圧Ｖｉｎに駆動トランジスタＴｒ２のしきい値電圧Ｖｔｈを加算した電圧に設定される。これにより画素回路５は、駆動トランジスタＴｒ２のしきい値電圧Ｖｔｈのばらつきを有効に回避して有機ＥＬ素子８を駆動することができ、有機ＥＬ素子８の発光輝度のばらつきによる画質劣化を防止することができる。
【００２１】
画素回路５は、この駆動トランジスタＴｒ２のゲート電圧Ｖｇを階調設定用電圧Ｖｓｉｇに設定する際に、駆動トランジスタＴｒ２のドレイン電圧を電源電圧Ｖｃｃに保持した状態で、一定期間Ｔμの間、駆動トランジスタＴｒ２のゲートが信号線ＤＴＬに接続される。これにより画素回路５は、併せて駆動トランジスタＴｒ２の移動度μのばらつきが補正される。
【００２２】
すなわち保持容量Ｃｓの端子間電圧を駆動トランジスタＴｒ２のしきい値電圧Ｖｔｈに設定した状態で、書込トランジスタＴｒ１をオン状態に設定して駆動トランジスタＴｒ２のゲートを信号線ＤＴＬに接続した場合、駆動トランジスタＴｒ２のゲート電圧Ｖｇは、固定電圧Ｖｏｆｓから徐々に上昇して階調設定用電圧Ｖｓｉｇに設定される。
【００２３】
ここで画素回路５は、この駆動トランジスタＴｒ２のゲート電圧Ｖｇの立ち上がりに要する書込時定数が、駆動トランジスタＴｒ２によるソース電圧Ｖｓの立ち上がりに要する時定数に比して短くなるように設定される。
【００２４】
この場合、書込トランジスタＴｒ１がオン動作すると、駆動トランジスタＴｒ２のゲート電圧Ｖｇは、速やかに階調設定用電圧Ｖｓｉｇ（Ｖｏｆｓ＋Ｖｉｎ）に立ち上がることになる。このゲート電圧Ｖｇの立ち上がり時、有機ＥＬ素子８の容量Ｃｅｌが保持容量Ｃｓに比して十分に大きければ、駆動トランジスタＴｒ２のソース電圧Ｖｓは変動しないことになる。
【００２５】
しかしながら駆動トランジスタＴｒ２のゲートソース間電圧Ｖｇｓがしきい値電圧Ｖｔｈより増大すると、駆動トランジスタＴｒ２を介して電源Ｖｃｃから電流が流入し、駆動トランジスタＴｒ２のソース電圧Ｖｓが徐々に上昇することになる。その結果、画素回路５は、保持容量Ｃｓの端子間電圧が駆動トランジスタＴｒ２により放電し、ゲートソース間電圧Ｖｇｓの上昇速度が低下することになる。
【００２６】
この端子間電圧の放電速度は、駆動トランジスタＴｒ２の能力に応じて変化する。より具体的には、駆動トランジスタＴｒ２の移動度μが大きい場合程、放電速度は、早くなる。
【００２７】
その結果、画素回路５は、移動度μが大きい駆動トランジスタＴｒ２程、保持容量Ｃｓの端子間電圧が低下するように設定され、移動度のばらつきによる発光輝度のばらつきが補正される。なお図９では、この移動度μの補正に係る端子間電圧の低下分をΔＶで示す。
【００２８】
画素回路５は、この移動度の補正期間Ｔμが経過すると、時点ｔ５で書込信号ＷＳが立ち下げられる。その結果、画素回路５は、発光期間が開始し、保持容量Ｃｓの端子間電圧に応じた駆動電流により有機ＥＬ素子８を発光させる。なお画素回路５は、発光期間が開始すると、いわゆるブートストラップ回路により駆動トランジスタＴｒ２のゲート電圧Ｖｇ及びソース電圧Ｖｓが上昇する。
【００２９】
これらにより画素回路５は、時点ｔ０から時点ｔ２までの駆動トランジスタＴｒ２のゲート電圧を電圧Ｖｓｓ２に立ち下げている期間で、駆動トランジスタＴｒ２のしきい値電圧補正処理の準備処理を実行する。また符号Ｔｔｈで表す続く時点ｔ２から時点ｔ３までの期間で、保持容量Ｃｓの端子間電圧を駆動トランジスタＴｒ２のしきい値電圧Ｖｔｈに設定して、駆動トランジスタＴｒ２のしきい値電圧補正処理を実行する。また時点ｔ４から時点ｔ５までの期間Ｔμで、駆動トランジスタＴｒ２の移動度を補正すると共に、階調設定用電圧Ｖｓｉｇをサンプリングする処理を実行する。
【００３０】
従ってこの図８の構成において、画像表示装置１は、電源用の駆動信号ＤＳにより発光期間と有機ＥＬ素子８を発光させない非発光期間とを設定することになる。従ってこれに対応してドライブスキャン回路４Ｂは（図８）、所定の電源Ｖｃｃ及びＶｓｓ２にそれぞれドレインを接続したＰチャンネル型トランジスタＴｒ３及びＮチャンネル型トランジスタＴｒ４の相補的なオンオフ制御により駆動信号ＤＳを出力する。なお図８において、符号９は、トランジスタＴｒ４のゲート信号を反転してトランジスタＴｒ３のゲートに入力するインバータである。
【００３１】
この種の画像表示装置に関して、特開２００７−１３３２８４号公報には、しきい値電圧のばらつきを補正する処理の期間Ｔｔｈを、複数回に分割して実行する構成が提案されている。
【特許文献１】特開２００７−３１０３１１号公報
【特許文献２】特開２００７−１３３２８４号公報
【発明の開示】
【発明が解決しようとする課題】
【００３２】
ところでこの図８に示す画素回路５は、階調設定用電圧Ｖｓｉｇを設定する前に、保持容量Ｃｓの端子間電圧を駆動トランジスタＴｒ２のしきい値電圧Ｖｔｈに設定することにより、駆動トランジスタＴｒ２のしきい値電圧Ｖｔｈのばらつきを補正する。またこの保持容量Ｃｓの端子間電圧を駆動トランジスタＴｒ２のしきい値電圧Ｖｔｈに設定する処理は、時点ｔ２から時点ｔ３までの期間Ｔｔｈの間、駆動トランジスタＴｒ２を介して保持容量Ｃｓの端子間電圧を放電して実行される。
【００３３】
従って例えば高解像度化、高周波数化により、１ラインの画素に割り当て可能な時点ｔ２から時点ｔ３までの期間Ｔｔｈが短くなると、画素回路５は、正しく保持容量Ｃｓの端子間電圧を駆動トランジスタＴｒ２のしきい値電圧Ｖｔｈに設定することが困難になる。その結果、画素回路５は、駆動トランジスタＴｒ２のしきい値電圧Ｖｔｈのばらつきによる画質劣化を十分に補正できなくなる。
【００３４】
従ってこの場合、特開２００７−１３３２８４号公報に開示の手法を適用して、保持容量Ｃｓの端子間電圧を駆動トランジスタＴｒ２のしきい値電圧Ｖｔｈに設定する処理を複数回の期間で実行し、不足する時間を補うことが考えられる。
【００３５】
すなわち図１０は、図９との対比により、図８について上述した画像表示装置に特開２００７−１３３２８４号公報に開示の手法を適用した場合の画素回路５の動作を示すタイムチャートである。なおこの図１０において、駆動トランジスタＴｒ２のしきい値電圧補正の準備処理を実行する期間を符号ＴＰにより示す。この図１０では、３回の期間Ｔｔｈ１、Ｔｔｈ２、Ｔｔｈ３により駆動トランジスタＴｒ２のしきい値電圧のばらつき補正処理を実行する。
【００３６】
すなわちこの図１０の例では、符号ＴＰにより示すように、３ライン分先行するしきい値電圧補正用の固定電圧Ｖｏｆｓを使用して、保持容量Ｃｓの端子間電圧を駆動トランジスタＴｒ２のしきい値電圧Ｖｔｈ以上の電圧に設定する（図１０（Ａ）〜（Ｅ））。またその後、信号線ＤＴＬの電圧が固定電圧Ｖｏｆｓに設定されている期間Ｔｔｈ１で書込信号ＷＳをオン状態に設定し、駆動トランジスタＴｒ２を介して保持容量Ｃｓの端子間電圧を放電させる（図１０（Ａ）〜（Ｅ））。また続いて期間Ｔ１の間、書込信号ＷＳにより書込トランジスタＴｒ１をオフ状態に設定し、保持容量Ｃｓの端子間電圧の放電を一時停止する。
【００３７】
また続いて信号線ＤＴＬの電圧が固定電圧Ｖｏｆｓに設定されている期間Ｔｔｈ２の間、書込トランジスタＴｒ１をオン状態に設定し、駆動トランジスタＴｒ２を介して保持容量Ｃｓの端子間電圧を放電させる。また続いて書込信号ＷＳにより書込トランジスタＴｒ１をオフ状態に設定し、保持容量Ｃｓの端子間電圧の放電を一時停止する。
【００３８】
また続いて信号線ＤＴＬの電圧が固定電圧Ｖｏｆｓに設定されている期間Ｔｔｈ３の間、書込トランジスタＴｒ１をオン状態に設定し、駆動トランジスタＴｒ２を介して保持容量Ｃｓの端子間電圧を放電させる。従ってこの図１０の例では、駆動トランジスタＴｒ２を介した放電により保持容量Ｃｓの端子間電圧を駆動トランジスタＴｒ２のしきい値電圧Ｖｔｈに設定する処理を３つの期間Ｔｔｈ１、Ｔｔｈ２、Ｔｔｈ３で実行する。なお以下において、駆動トランジスタＴｒ２を介して保持容量Ｃｓの端子間電圧を放電させる処理を一時的に中止している期間Ｔ１及びＴ２を、しきい値電圧補正処理の休止期間と呼ぶ。
【００３９】
この図１０の例では、高解像度化、高周波数化した場合にあっても、十分な時間を確保して保持容量Ｃｓの端子間電圧を駆動トランジスタＴｒ２により放電させることができる。従って保持容量Ｃｓの端子間電圧を駆動トランジスタＴｒ２のしきい値電圧Ｖｔｈに正しく設定することができる。
【００４０】
しかしながらこの図１０の構成では、休止期間Ｔ１及びＴ２において、駆動トランジスタＴｒ２を介して保持容量Ｃｓのソース側端に充電電流が流入することになる。その結果、画素回路５は、この休止期間Ｔ１及びＴ２において、駆動トランジスタＴｒ２のソース電圧Ｖｓが徐々に上昇することになる。また画素回路５は、このソース電圧の上昇に連動して、駆動トランジスタＴｒ２のゲート電圧Ｖｇが徐々に上昇することになる。
【００４１】
ここでこれら休止期間Ｔ１及びＴ２の開始時、保持容量Ｃｓの端子間電圧が十分に駆動トランジスタＴｒ２のしきい値電圧Ｖｔｈに近い電圧となっている場合、この休止期間Ｔ１及びＴ２におけるゲート電圧Ｖｇ及びソース電圧Ｖｓの上昇は無視することができる。
【００４２】
しかしながら休止期間Ｔ１及びＴ２の開始時、保持容量Ｃｓの端子間電圧が十分に駆動トランジスタＴｒ２のしきい値電圧Ｖｔｈに近い電圧となっていない場合には、このゲート電圧Ｖｇ及びソース電圧Ｖｓの上昇を無視できなくなる。その結果、休止期間Ｔ１及びＴ２の終了時点で、書込信号ＷＳにより書込トランジスタＴｒ１をオン動作させて駆動トランジスタＴｒ２のゲート電圧Ｖｇを固定電圧Ｖｏｆｓに設定すると、保持容量Ｃｓの端子間電圧が駆動トランジスタＴｒ２のしきい値電圧Ｖｔｈ以下の電圧にまで立ち下がる恐れがある。この場合、画素回路５では、駆動トランジスタＴｒ２のしきい値電圧Ｖｔｈのばらつきを正しく補正できなくなる問題がある。すなわちこの場合、駆動トランジスタＴｒ２のしきい値電圧のばらつきを補正する処理が、破綻することになる。従ってこの場合は、駆動トランジスタＴｒ２のしきい値電圧のばらつきを正しく補正し得ず、画質が劣化することになる。
【００４３】
本発明は以上の点を考慮してなされたもので、駆動トランジスタを介して保持容量の端子間電圧を複数回の期間で放電して駆動トランジスタのしきい値電圧をばらつき補正する場合でも、駆動トランジスタのしきい値電圧のばらつきを確実に補正することができる画像表示装置及び画像表示装置の駆動方法を提案しようとするものである。
【課題を解決するための手段】
【００４４】
上記の課題を解決するため請求項１の発明は、画像表示装置に適用して、画素回路をマトリックス状に配置した表示部と、前記表示部に設けられた信号線に信号線用駆動信号を出力する信号線駆動回路と、前記表示部に設けられた走査線に少なくとも電源用駆動信号及び書込信号を出力する走査線駆動回路とを有するようにする。ここで前記画素回路は、発光素子と、前記電源用駆動信号がドレインに印加され、ゲートソース間電圧に応じた駆動電流により前記発光素子を電流駆動する駆動トランジスタと、前記ゲートソース間電圧を保持する保持容量と、前記書込信号により前記駆動トランジスタのゲートを前記信号線に接続し、前記保持容量の端子電圧を前記信号線の電圧に設定する書込トランジスタとを少なくとも有し、前記信号線駆動回路及び前記走査線駆動回路の出力信号により、前記発光素子を発光させる発光期間と、前記発光素子の発光を停止させる非発光期間とを交互に繰り返す。前記画素回路は、前記非発光期間において、前記保持容量の端子間電圧を前記駆動トランジスタのしきい値電圧以上の電圧に設定した後、休止期間を間に挟んだ複数の期間で前記駆動トランジスタを介して前記保持容量の端子間電圧を放電し、前記保持容量の端子間電圧を前記駆動トランジスタのしきい値電圧に設定し、その後、前記書込トランジスタを介して前記保持容量の端子電圧を設定し、続く発光期間における前記発光素子の階調を設定する。前記走査線駆動回路は、前記休止期間の全部又は一部の期間で、前記電源用駆動信号を出力する走査線をフローティング状態に設定する。
【００４５】
また請求項４の発明は、画素回路をマトリックス状に配置した表示部と、前記表示部に設けられた信号線に信号線用駆動信号を出力する信号線駆動回路と、前記表示部に設けられた走査線に少なくとも電源用駆動信号及び書込信号を出力する走査線駆動回路とを有する画像表示装置の駆動方法に適用する。ここで前記画素回路は、発光素子と、前記電源用駆動信号がドレインに印加され、ゲートソース間電圧に応じた駆動電流により前記発光素子を電流駆動する駆動トランジスタと、前記ゲートソース間電圧を保持する保持容量と、前記書込信号により前記駆動トランジスタのゲートを前記信号線に接続し、前記保持容量の端子電圧を前記信号線の電圧に設定する書込トランジスタとを少なくとも有し、前記信号線駆動回路及び前記走査線駆動回路の出力信号により、前記発光素子を発光させる発光期間と、前記発光素子の発光を停止させる非発光期間とを交互に繰り返す。前記駆動方法は、前記非発光期間において、前記保持容量の端子間電圧を前記駆動トランジスタのしきい値電圧以上の電圧に設定するしきい値電圧補正の準備ステップと、前記非発光期間において、続いて休止期間を間に挟んだ複数の期間で前記駆動トランジスタを介して前記保持容量の端子間電圧を放電し、前記保持容量の端子間電圧を前記駆動トランジスタのしきい値電圧に設定するしきい値電圧補正ステップと、前記非発光期間において、続いて前記書込トランジスタを介して前記保持容量の端子電圧を設定し、続く発光期間における前記発光素子の階調を設定する階調設定ステップとを有する。前記しきい値電圧補正ステップは、前記休止期間の全部又は一部の期間で、前記電源用駆動信号を出力する走査線をフローティング状態に設定するフローティング状態の設定ステップとを有する。
【００４６】
請求項１又は請求項４の構成によれば、非発光期間において、保持容量の端子間電圧を駆動トランジスタのしきい値電圧以上の電圧に設定した後、駆動トランジスタを介した放電により保持容量の端子間電圧を駆動トランジスタのしきい値電圧に設定し、その後、保持容量の端子電圧を設定することにより、駆動トランジスタのしきい値電圧のばらつきによる画質劣化を防止することができる。また休止期間を間に挟んだ複数の期間で、駆動トランジスタを介して保持容量の端子間電圧を放電させることにより、この端子間電圧の放電を複数回の期間で実行することができる。ここで休止期間の全部又は一部の期間で、電源用駆動信号を出力する走査線をフローティング状態に設定することにより、この全部又は一部の期間では、駆動トランジスタに電源を供給しないようにし、駆動トランジスタのソース電圧の上昇を防止することができる。従ってこの全部又は一部の期間で、保持容量の端子間電圧が減少しないようにすることができる。これにより複数回の期間で、駆動トランジスタを介した保持容量の端子間電圧の放電により駆動トランジスタのしきい値電圧をばらつき補正する場合にあっても、この処理を破綻することなく、正しく保持容量の端子間電圧を駆動トランジスタのしきい値電圧に設定することができ、画質の劣化を確実に防止することができる。
【発明の効果】
【００４７】
本発明によれば、駆動トランジスタを介して保持容量の端子間電圧を複数回の期間で放電して駆動トランジスタのしきい値電圧をばらつき補正する場合でも、駆動トランジスタのしきい値電圧のばらつきを確実に補正することができる。
【発明を実施するための最良の形態】
【００４８】
以下、適宜図面を参照しながら本発明の実施例を詳述する。
【実施例１】
【００４９】
（１）実施例の構成
図２は、本発明の実施例１の画像表示装置を示すブロック図である。また図３は、この画像表示装置１１を図８との対比により示すブロック図である。この画像表示装置１１は、走査線駆動回路１４の構成が異なる点を除いて、図１０について上述した画像表示装置と同一に構成される。また走査線駆動回路１４は、ドライブスキャン回路（ＤＳＣＮ）１４Ｂの構成が異なる点を除いて、図１０の画像表示装置と同一に構成される。従ってこの画像表示装置１１において、図１０について上述した画像表示装置と同一の構成は、対応する符号を付して示し、重複した説明は省略する。なおこの図２においては、赤色、緑色、青色のカラーフィルタが設けられた画素回路５をそれぞれ符号Ｒ、Ｇ、Ｂにより示す。
【００５０】
ここでドライブスキャン回路１４Ｂ（図３）は、各走査線ＤＳＬへの駆動信号ＤＳの出力段に、電源Ｖｃｃ及びＶｓｓ２にそれぞれドレインを接続したＰチャンネル型トランジスタＴｒ３及びＮチャンネル型トランジスタＴｒ４が設けられる。ドライブスキャン回路１４Ｂは、各出力段において、これらトランジスタＴｒ３及びＴｒ４のソースが接続されて対応する走査線ＤＳＬに接続される。ドライブスキャン回路１４Ｂは、トランジスタＴｒ３及びＴｒ４がスイッチ回路として機能し、トランジスタＴｒ３及びＴｒ４を選択的にオン動作させて、駆動信号ＤＳをそれぞれ電圧Ｖｃｃ及びＶｓｓ２に設定する。またトランジスタＴｒ３及びＴｒ４の双方をオフ状態に設定して、駆動信号ＤＳの走査線ＤＳＬをフローティング状態に設定する。
【００５１】
ドライブスキャン回路１４Ｂは、所定のサンプリングパルスＳＰをクロックＣＫで処理してこれらトランジスタＴｒ３及びＴｒ４をオンオフ制御する制御信号Ｓ２及びＳ３を生成し、この制御信号Ｓ２及びＳ３をそれぞれトランジスタＴｒ３及びＴｒ４のゲートに入力する。
【００５２】
図１は、図９との対比によりトランジスタＴｒ３及びＴｒ４の制御の説明に供するタイムチャートである。画素回路５は、発光期間の間、制御信号Ｓ２及びＳ３が共にＬレベルに設定されて駆動信号ＤＳが電圧Ｖｃｃに保持される（図１（Ｃ）、（Ｆ）及び（Ｇ））。これにより画素回路５は、発光期間の間、駆動信号ＤＳにより駆動用トランジスタＴｒ２に電源Ｖｃｃが供給される。その結果、画素回路５は、保持容量Ｃｓに設定された駆動トランジスタＴｒ２のゲートソース間電圧Ｖｇｓに応じた駆動電流で有機ＥＬ素子８を電流駆動し、有機ＥＬ素子８をゲートソース間電圧Ｖｇｓに応じた発光輝度で発光させる（図１（Ｄ）及び（Ｅ））。
【００５３】
また時点ｔ０で非発光期間が開始すると、制御信号Ｓ２及びＳ３が共にＨレベルに設定され、駆動信号ＤＳが電圧Ｖｓｓ２に切り換えられる（図１（Ｃ）、（Ｆ）及び（Ｇ））。これにより画素回路５は、駆動トランジスタＴｒ２のドレインがソースとして機能し、駆動トランジスタＴｒ２を介して有機ＥＬ素子８の蓄積電荷が走査線ＤＳＬに流出する。その結果、画素回路５は、保持容量Ｃｓの有機ＥＬ素子８側端が電圧Ｖｓｓ２に立ち下がる。
【００５４】
続いて画素回路５は、信号線ＤＴＬがしきい値電圧補正用の固定電圧Ｖｏｆｓに保持されている時点ｔ１で書込信号ＷＳが立ち上げられ、これにより書込トランジスタＴｒ１を介して保持容量Ｃｓのゲート側端電圧がしきい値電圧補正用の固定電圧Ｖｏｆｓに設定される。これにより画素回路５は、保持容量Ｃｓの端子間電圧が駆動トランジスタＴｒ２のしきい値電圧Ｖｔｈ以上の電圧に設定され、符号ＴＰにより示す時点ｔ０からｔ２までの期間で、しきい値電圧のばらつきを補正するための準備処理が実行される。
【００５５】
画素回路５は、続く時点ｔ２から非発光期間が終了する時点ｔ５までの期間で、保持容量Ｃｓの端子間電圧を駆動トランジスタＴｒ２のしきい値電圧Ｖｔｈに設定した後、駆動トランジスタＴｒ２の移動度のばらつきを補正して階調設定用電圧Ｖｓｉｇをサンプリングする。またこの保持容量Ｃｓの端子間電圧を駆動トランジスタＴｒ２のしきい値電圧Ｖｔｈに設定する処理を、複数回の期間Ｔｔｈ１、Ｔｔｈ２、Ｔｔｈ３に分けて実行する。
【００５６】
すなわち画素回路５は、信号線ＤＴＬの電圧がしきい値電圧補正用の固定電圧Ｖｏｆｓに切り換わった後、所定時間経過して書込信号ＷＳが立ち上げられる。また信号線ＤＴＬの電圧が階調設定用電圧Ｖｓｉｇに切り換わる一定時間前に、書込信号ＷＳが立ち下げられる。これにより画素回路５は、信号線ＤＴＬの電圧がしきい値電圧補正用の固定電圧Ｖｏｆｓに設定されている期間の一部期間において、駆動トランジスタＴｒ２を介して保持容量Ｃｓの端子間電圧を放電させる。画素回路５は、この処理を期間Ｔｔｈ１、Ｔｔｈ２、Ｔｔｈ３で繰り返し、保持容量Ｃｓの端子間電圧を駆動トランジスタＴｒ２のしきい値電圧Ｖｔｈに設定する。
【００５７】
これにより画素回路５は、これらの期間Ｔｔｈ１、Ｔｔｈ２、Ｔｔｈ３の間、制御信号Ｓ２及びＳ３が共にＬレベルに設定され、駆動信号ＤＳが電圧Ｖｃｃに設定される。
【００５８】
画素回路５は、期間Ｔｔｈ１及びＴｔｈ２の間の期間Ｔ１、期間Ｔｔｈ２及びＴｔｈ３の間の期間Ｔ２において、制御信号Ｓ２及びＳ３がそれぞれＨレベル及びＬレベルに設定され、駆動信号ＤＳを出力する走査線ＤＳＬがフローティング状態に保持される。なお残る時点ｔ３５から時点ｔ４までの期間では、制御信号Ｓ２及びＳ３が共にＬレベルに設定され、駆動信号ＤＳが電圧Ｖｃｃに設定される。
【００５９】
これにより画素回路５は、しきい値電圧補正処理の休止期間Ｔ１及びＴ２の全部期間において、駆動トランジスタＴｒ２のドレインをフローティング状態に保持する。その結果、画素回路５では、駆動トランジスタＴｒ２を介した有機ＥＬ素子８側端の充電を防止することができ、駆動トランジスタＴｒ２のソース電圧Ｖｓの上昇を防止することができる。従ってこれら期間Ｔ１及びＴ２において、ゲートソース間電圧Ｖｇｓの低下を防止することができ、これら期間Ｔ１及びＴ２が終了してしきい値電圧補正処理を再開した場合でも、保持容量Ｃｓの端子間電圧が駆動トランジスタＴｒ２のしきい値電圧Ｖｔｈ以下に立ち下がらないようにすることができる。
【００６０】
（２）実施例の動作
以上の構成において、この画像表示装置１１では（図２、図３）、信号線駆動回路３において、順次入力される画像データＤ１が表示部２の信号線ＤＴＬに振り分けられた後、ディジタルアナログ変換処理される。これにより画像表示装置１１では、信号線ＤＴＬに接続された各画素の階調を指示する階調電圧Ｖｉｎが信号線ＤＴＬ毎に作成される。画像表示装置１１では、走査線駆動回路１４による表示部２の駆動により、表示部２を構成する各画素回路５に例えば線順次によりこの階調電圧Ｖｉｎが設定される。また各画素回路５では、この階調電圧Ｖｉｎに応じた発光輝度によりそれぞれ有機ＥＬ素子８が発光する（図９）。これにより画像表示装置１１では、画像データＤ１に応じた画像を表示部２で表示することができる。
【００６１】
より具体的に、画素回路５においては、ソースフォロワ回路構成の駆動トランジスタＴｒ２により有機ＥＬ素子８が電流駆動される。画素回路５においては、この駆動トランジスタＴｒ２のゲートソース間に設けられた保持容量Ｃｓのゲート側端の電圧が階調電圧Ｖｉｎに応じた電圧Ｖｓｉｇに設定される。これにより画像表示装置１１では、画像データＤ１に応じた発光輝度により有機ＥＬ素子８を発光させて所望の画像を表示する。
【００６２】
しかしながらこれら画素回路５に適用される駆動トランジスタＴｒ２は、しきい値電圧Ｖｔｈのばらつきが大きい欠点がある。その結果、画像表示装置１１では、単に保持容量Ｃｓのゲート側端電圧を階調電圧Ｖｉｎに応じた電圧Ｖｓｉｇに設定したのでは、駆動トランジスタＴｒ２のしきい値電圧Ｖｔｈのばらつきにより有機ＥＬ素子８の発光輝度がばらつき、画質が劣化する。
【００６３】
そこで画像表示装置１１では、事前に、駆動トランジスタＴｒ２のソースをドレインとして機能させるのに十分な電圧Ｖｓｓ２に駆動信号ＤＳを立ち下げることにより、保持容量Ｃｓの有機ＥＬ素子８側端電圧を立ち下げた後、書込トランジスタＴｒ１を介して駆動トランジスタＴｒ２のゲート電圧がしきい値電圧補正用の固定電圧Ｖｏｆｓに設定される。これにより画像表示装置１１では、保持容量Ｃｓの端子間電圧が駆動トランジスタＴｒ２のしきい値電圧Ｖｔｈ以上に設定される。またその後、駆動信号ＤＳが電圧Ｖｃｃに立ち上げられ、その結果、駆動トランジスタＴｒ２を介して、この保持容量Ｃｓの端子間電圧が放電される。これらの一連の処理により、画像表示装置１１では、保持容量Ｃｓの端子間電圧が、事前に、駆動トランジスタＴｒ２のしきい値電圧Ｖｔｈに設定される。
【００６４】
その後、画像表示装置１１では、階調電圧Ｖｉｎに固定電圧Ｖｏｆｓを加算した階調設定用電圧Ｖｓｉｇが駆動トランジスタＴｒ２のゲート電圧に設定される。これにより画像表示装置１１では、駆動トランジスタＴｒ２のしきい値電圧Ｖｔｈのばらつきによる画質劣化を防止することができる。
【００６５】
また一定時間Ｔμの間、駆動トランジスタＴｒ２に電源を供給した状態で、駆動トランジスタＴｒ２のゲート電圧を階調設定用電圧Ｖｓｉｇに保持することにより、駆動トランジスタＴｒ２の移動度のばらつきによる画質劣化を防止することができる。
【００６６】
しかしながらこのように保持容量Ｃｓの端子間電圧を駆動トランジスタＴｒ２のしきい値電圧Ｖｔｈ以上の電圧に設定した後、駆動トランジスタＴｒ２を介した放電により保持容量Ｃｓの端子間電圧を駆動トランジスタＴｒ２のしきい値電圧Ｖｔｈに設定する場合、高解像度化、高周波数化により、保持容量Ｃｓの端子間電圧の放電に十分な時間を割り当てることが困難になる。
【００６７】
そこでこの実施例では（図１）、複数回の期間Ｔｔｈ１、Ｔｔｈ２、Ｔｔｈ３に分けて保持容量Ｃｓの端子間電圧を放電させ、これにより高解像度化、高周波数化した場合でも、この端子間電圧の放電に十分な時間を割り当てることができるようにし、しきい値電圧のばらつきによる画質劣化を防止する。
【００６８】
しかしながらこのように複数回の期間Ｔｔｈ１、Ｔｔｈ２、Ｔｔｈ３に分けて保持容量Ｃｓの端子間電圧を放電させる場合、これら複数回の期間の間のしきい値電圧補正処理の休止期間Ｔ１、Ｔ２において、駆動トランジスタＴｒ２では、保持容量Ｃｓの端子間電圧から駆動トランジスタＴｒ２のしきい値電圧Ｖｔｈを減算した分の電流が流れる。画素回路５では、この電流により有機ＥＬ素子８が充電され、駆動トランジスタＴｒ２のソース電圧Ｖｓが徐々に上昇し、保持容量Ｃｓの端子間電圧が低下することになる。
【００６９】
保持容量Ｃｓの端子間電圧が駆動トランジスタＴｒ２のしきい値電圧Ｖｔｈに十分に接近している場合、この端子間電圧の低下は十分に無視することができる。しかしながら保持容量Ｃｓの端子間電圧が駆動トランジスタＴｒ２のしきい値電圧Ｖｔｈに十分に接近していない場合、画素回路５では、この端子間電圧の低下を無視し得なくなり、続いてしきい値電圧補正処理を再開した場合に、保持容量Ｃｓの端子間電圧が駆動トランジスタＴｒ２のしきい値電圧Ｖｔｈ以下に低下することになる。この場合、当該画素回路５では、正しく駆動トランジスタＴｒ２のしきい値電圧のばらつきを補正できなくなり、画質が劣化することになる。
【００７０】
そこでこの実施例では、しきい値電圧補正処理の休止期間Ｔ１及びＴ２の全部期間において、駆動信号ＤＳを出力する走査線ＤＳＬをフローティング状態に保持する。その結果、画素回路５では、保持容量Ｃｓの端子間電圧が駆動トランジスタＴｒ２のしきい値電圧Ｖｔｈに十分に接近していない場合でも、この休止期間Ｔ１及びＴ２の間、駆動トランジスタＴｒ２による有機ＥＬ素子８の充電を防止することができる。その結果、この休止期間Ｔ１及びＴ２において、保持容量Ｃｓの端子間電圧が低減しないようにし、正しく駆動トランジスタＴｒ２のしきい値電圧のばらつきを補正することができる。
【００７１】
ところで図１との対比により図４に示すように、期間Ｔｔｈ１及びＴｔｈ２の終了直前で、信号線ＤＴＬの電圧を固定電圧Ｖｏｆｓより低い固定電圧Ｖｏｆｓ２に立ち下げることにより、同様に、しきい値電圧補正処理の破綻を防止することができる。すなわちこの場合、信号線ＤＴＬの電圧を固定電圧Ｖｏｆｓ２に立ち下げることにより、休止期間Ｔ１及びＴ２の間、保持容量Ｃｓの端子間電圧を駆動トランジスタＴｒ２のしきい値電圧Ｖｔｈ以下の電圧に強制的に設定する。また休止期間Ｔ１及びＴ２の終了により、書込トランジスタＴｒ１を介して保持容量Ｃｓの端子電圧が固定電圧Ｖｏｆｓに設定されると、保持容量の端子間電圧は、信号線ＤＴＬの電圧を固定電圧Ｖｏｆｓ２に立ち下げる直前の電圧に復帰する。これによりこの図４の例では、端子間電圧の放電を複数回の期間で実行する場合でも、駆動トランジスタのしきい値電圧のばらつきを確実に補正することができる。
【００７２】
しかしながらこの方法では、固定電圧Ｖｏｆｓ２によって保持容量Ｃｓの端子間電圧を低減するのに、数μ秒の時間を要し、これにより高解像度化、高周波数化に十分に対応できない欠点がある。またこの方法では、信号線駆動回路の構成が複雑になり、消費電力が増大する欠点もある。
【００７３】
これに対してこの実施例によれば、単にドライブスキャン回路１４Ｂにおける出力段の制御を変更するだけの簡易な構成により、高解像度化、高周波数化に十分に対応して画質の劣化を防止することができる。従って垂直駆動回路の構成するモジュールの構成を単純化することができ、さらには画像表示装置１１を狭額縁化することができる。
【００７４】
（３）実施例の効果
以上の構成によれば、しきい値電圧補正処理の休止期間の全部期間において、電源用の駆動信号を出力する走査線をフローティング状態に設定することにより、駆動トランジスタを介して保持容量の端子間電圧を複数回の期間で放電して駆動トランジスタのしきい値電圧をばらつき補正する場合でも、駆動トランジスタのしきい値電圧のばらつきを確実に補正することができる。
【００７５】
また駆動信号の立ち下げにより、保持容量の端子間電圧を駆動トランジスタのしきい値電圧以上の電圧に設定することにより、画素回路を２つのトランジスタにより構成する場合に適用して、画質の劣化を有効に回避することができる。
【実施例２】
【００７６】
図５は、図１との対比により本発明の実施例２の画像表示装置の説明に供するタイムチャートである。この実施例の画像表示装置は、休止期間Ｔ１及びＴ２のうちの一部期間であり、かつ最先の休止期間Ｔ１のみで、走査線ＤＳＬをフローティング状態に設定する。
【００７７】
すなわち休止期間における駆動トランジスタＴｒ２のソース電圧Ｖｓの上昇は、駆動トランジスタＴｒ２のしきい値電圧Ｖｔｈに対して、保持容量Ｃｓの端子間電圧が大きい場合程、大きくなる。従って複数回の休止期間の中では、最先の休止期間で、ソース電圧Ｖｓの上昇が最も大きくなり、この最先の休止期間に続くしきい値電圧補正処理において、処理が破綻することになる。
【００７８】
また最先の休止期間以外では、保持容量の端子間電圧が駆動トランジスタＴｒ２のしきい値電圧Ｖｔｈに十分に接近していることから、このソース電圧Ｖｓの上昇は、無視することができる。
【００７９】
これによりこの実施例では、最先の休止期間Ｔ１のみ、走査線ＤＳＬをフローティング状態に設定し、残りの休止期間では、駆動信号ＤＳを電圧Ｖｃｃに保持する。
【００８０】
この実施例では、最先の休止期間のみ、走査線をフローティング状態に設定することにより、当該走査線に係る制御を簡略化し、実施例１と同様の効果を得ることができる。
【実施例３】
【００８１】
図６は、図１との対比により本発明の実施例３の画像表示装置の説明に供するタイムチャートである。この実施例の画像表示装置は、休止期間Ｔ１及びＴ２のうちの一部期間である、信号線ＤＴＬが階調設定用電圧Ｖｓｉｇに設定されている期間ＴＦだけ、走査線ＤＳＬをフローティング状態に設定する。
【００８２】
すなわち駆動トランジスタＴｒ２の充電電流が大きい場合でも、有機ＥＬ素子８を充電する期間が短い場合には、駆動トランジスタＴｒ２の充電電流によるソース電圧Ｖｓの上昇を十分に無視することができる。これによりこの実施例では、休止期間Ｔ１及びＴ２のうちの、信号線ＤＴＬが階調設定用電圧Ｖｓｉｇに設定されている期間ＴＦだけ、走査線ＤＳＬをフローティング状態に設定し、しきい値電圧補正処理の破綻を防止する。
【００８３】
この実施例によれば、休止期間のうちの一部期間である信号線が階調設定用電圧に設定されている期間だけ、走査線をフローティング状態に設定するようにしても、実施例１、２と同様の効果を得ることができる。
【実施例４】
【００８４】
図７は、図１との対比により本発明の実施例４の画像表示装置の説明に供するタイムチャートである。この実施例の画像表示装置は、休止期間が、１水平走査期間（１Ｈ）以上の期間に設定される。従ってこの図７の例では、第２の休止期間Ｔ２が、信号線ＤＴＬの信号レベルが階調設定用電圧Ｖｓｉｇに設定される２回の期間を含む期間に設定される。この実施例では、休止期間Ｔ１及びＴ２の間、走査線をフローティング状態に設定する。
【００８５】
この実施例のように、休止期間を、１水平走査期間以上の期間に設定する場合であっても、上述の実施例と同様の効果を得ることができる。
【実施例５】
【００８６】
なお上述の実施例においては、休止期間の全部期間、休止期間の中で信号線の電圧が階調設定用電圧に保持される期間等について、走査線をフローティング状態に設定する場合について述べたが、本発明はこれに限らず、上述の各実施例の構成を組み合わせるようにしてもよく、さらには休止期間以下の期間であって、かつ信号線の電圧が階調設定用電圧に保持される期間以上の期間等で、走査線をフローティング状態に設定してもよい。また休止期間を含むように、休止期間より長い期間で走査線をフローティング状態に設定してもよい。
【００８７】
また上述の実施例においては、電源用の駆動信号ＤＳを電圧Ｖｓｓ２に立ち下げることにより、保持容量の有機ＥＬ素子側端電圧を立ち下げ、保持容量の端子間電圧を駆動トランジスタＴｒ２のしきい値電圧以上の電圧に設定する場合について述べたが、本発明はこれに限らず、別途トランジスタを設け、このトランジスタのオンオフ制御により保持容量の有機ＥＬ素子側端電圧を立ち下げる場合にも広く適用することができる。
【００８８】
また上述の実施例においては、Ｎチャンネル型のトランジスタを駆動トランジスタに適用する場合について述べたが、本発明はこれに限らず、Ｐチャンネル型のトランジスタを駆動トランジスタに適用する画像表示装置等に広く適用することができる。
【００８９】
また上述の実施例においては、本発明を有機ＥＬ素子の画像表示装置に適用する場合について述べたが、本発明はこれに限らず、電流駆動型の各種自発光素子による画像表示装置に広く適用することができる。
【産業上の利用可能性】
【００９０】
本発明は、画像表示装置及び画像表示装置の駆動方法に関し、例えば有機ＥＬ素子によるアクティブマトリックス型の画像表示装置に適用することができる。
【図面の簡単な説明】
【００９１】
【図１】本発明の実施例１の画像表示装置の動作の説明に供するタイムチャートである。
【図２】本発明の実施例１の画像表示装置を示すブロック図である。
【図３】図２の画像表示装置を詳細に示すブロック図である。
【図４】信号線の電圧設定による動作例を示すタイムチャートである。
【図５】本発明の実施例２の画像表示装置の動作の説明に供するタイムチャートである。
【図６】本発明の実施例３の画像表示装置の動作の説明に供するタイムチャートである。
【図７】本発明の実施例４の画像表示装置の動作の説明に供するタイムチャートである。
【図８】従来の画像表示装置を示すブロック図である。
【図９】図８の画像表示装置の動作の説明に供するタイムチャートである。
【図１０】図８の画像表示装置において休止期間を設ける場合の動作の説明に供するタイムチャートである。
【符号の説明】
【００９２】
１、１１……画像表示装置、２……表示部、３……水平駆動回路、４、１４……垂直駆動回路、４Ｂ、１４Ｂ……ドライブスキャン回路、５……画素回路、８……有機ＥＬ素子、Ｃｓ……保持容量、Ｔｒ１〜Ｔｒ４……トランジスタ
【図１】
2010107629.tif 000003
【図２】
2010107629.tif 000004
【図３】
2010107629.tif 000005
【図４】
2010107629.tif 000006
【図５】
2010107629.tif 000007
【図６】
2010107629.tif 000008
【図７】
2010107629.tif 000009
【図８】
2010107629.tif 000010
【図９】
2010107629.tif 000011
【図１０】
2010107629.tif 000012